【手続補正書】
【提出日】平成17年6月14日(2005.6.14)
【手続補正１】
【補正対象書類名】明細書
【補正対象項目名】特許請求の範囲
【補正方法】変更
【補正の内容】
【特許請求の範囲】
【請求項１】
情報処理装置と、前記情報処理装置を操作する操作端末とからなるシステムであって、
前記操作端末は、
前記情報処理装置と通信するための装置通信部と、
ユーザから前記情報処理装置の動作を指定するための操作情報を入力する操作部と、
前記操作端末毎に決まる機器に特有な情報である固有情報と、操作端末の使用環境によって可変な状態情報とからなる端末情報とを保持するための端末情報格納部と、
前記操作部から入力された前記操作情報に、前記端末情報格納部から取得した前記端末情報を付加して前記装置通信部に出力するための統合部とを備え、
前記情報処理装置は、
前記操作端末と通信するための端末通信部と、
前記ユーザに対して前記情報処理装置内に保持する表示用データを表示するための表示部と、
前記操作情報および前記端末情報に対応する表示の方法を規定する表示情報を保持するための表示情報格納部と、
前記端末通信部から入力された前記操作情報と前記端末情報とに対応した前記表示情報の規定に基いて、前記表示部が表示する前記表示用データを変更するための変更部とを備えることを特徴とする、情報処理システム。
【請求項２】
前記変更部は、前記操作情報と前記端末情報とに対応する前記表示情報の規定に基いて、前記表示用データの一部または全部を表示させない機能を持つことを特徴とする、請求項１に記載の情報処理システム。
【請求項３】
前記変更部は、前記操作情報と前記端末情報とに対応する前記表示情報の規定に基いて、前記表示用データの一部または全部を加工して表示させる機能を持つことを特徴とする、請求項１に記載の情報処理システム。
【請求項４】
前記変更部は、前記操作情報と前記端末情報とに対応する前記表示情報の規定に基いて、前記表示用データの一部または全部を他の表示用データに切り替えて表示させる機能を持つことを特徴とする、請求項１に記載の情報処理システム。
【請求項５】
前記操作端末の統合部は、端末固有の第２表示用データを保持し、前記操作情報および前記端末情報に、前記第２表示用データを付加して前記装置通信部に出力する機能をさらに有し、
前記情報処理装置の変更部は、前記操作情報と前記端末情報とに対応する前記表示情報の規定に基いて、前記表示用データの一部または全部を、前記端末通信部から入力された前記第２表示用データに差し換えて表示させる機能を持つことを特徴とする、請求項１に記載の情報処理システム。
【請求項６】
前記操作端末の端末情報格納部は、前記操作端末の付加機能情報をさらに含む端末情報を保持し、
前記情報処理装置の変更部は、前記操作情報と前記付加機能情報を含む前記端末情報とに対応する前記表示情報の規定に基いて、前記表示用データを変更する機能をさらに持つことを特徴とする、請求項１〜５のいずれかに記載の情報処理システム。
【請求項７】
前記操作端末は、前記表示部が表示する前記表示用データの画面を前記ユーザが直接指示するための画面指示部を備え、
前記操作端末の端末情報格納部は、前記画面指示部を有することを付加機能情報として記述した前記端末情報を保持し、
前記情報処理装置の変更部は、前記操作情報と前記付加機能情報を含む前記端末情報とに対応する前記表示情報の規定に基いて、前記表示用データを変更するための機能を持つことを特徴とする、請求項６に記載の情報処理システム。
【請求項８】
前記操作端末は、前記表示用データが表示される画面までの距離を計測するための距離計測部を備え、
前記操作端末の端末情報格納部は、前記距離計測部が計測した距離情報を含む端末情報を保持し、
前記情報処理装置の変更部は、前記操作情報と前記距離情報を含む前記端末情報とに対応する前記表示情報の規定に基いて、前記表示用データを変更する機能を持つことを特徴とする、請求項１〜７のいずれかに記載の情報処理システム。
【請求項９】
前記情報処理装置の変更部は、前記操作情報と前記距離情報を含む前記端末情報とに対応する前記表示情報の規定に基いて、前記表示用データに含まれる文字情報の大きさと画面配置とを変更して前記表示部に表示させる機能をさらに持つことを特徴とする、請求項８に記載の情報処理システム。
【請求項１０】
前記情報処理装置の変更部は、前記操作情報と前記距離情報を含む前記端末情報とに対応する前記表示情報の規定に基いて、前記表示用データに含まれる図形情報の大きさと画面配置とを変更して前記表示部に表示させる機能をさらに持つことを特徴とする、請求項８に記載の情報処理システム。
【請求項１１】
前記情報処理装置の変更部は、前記操作情報と前記距離情報を含む前記端末情報とに対応する前記表示情報の規定に基いて、前記表示用データの全体の表示面積を変更して前記表示部に表示させる機能をさらに持つことを特徴とする、請求項８に記載の情報処理システム。
【請求項１２】
操作端末と通信するための端末通信部と、
ユーザに対して情報処理装置内に保持する表示用データを表示するための表示部と、
前記操作端末の操作情報および前記操作端末の端末情報に対応する表示の方法を規定する表示情報を保持するための表示情報格納部と、
前記端末通信部から入力された操作情報と端末情報とに対応した前記表示情報の規定に基いて、前記表示部が表示する前記表示用データを変更するための変更部とを備える、情報処理装置。
【請求項１３】
情報処理装置と、前記情報処理装置を操作する操作端末とからなる情報処理システムにおける処理方法であって、
前記操作端末は、
前記情報処理装置と通信するための通信処理と、
ユーザから前記情報処理装置の動作を指定するための操作情報を入力する処理と、
前記操作端末毎に決まる機器に特有な情報である固有情報と、操作端末の使用環境によって可変な状態情報とからなる端末情報とを保持するための端末情報格納処理と、
前記操作部から入力された前記操作情報に、前記端末情報格納部から取得した前記端末情報を付加して前記装置通信部に出力するための統合処理とを行い、
前記情報処理装置は、
前記操作端末と通信するための通信処理と、
前記ユーザに対して該情報処理装置内に保持する表示用データを表示するための表示処理と、
前記操作情報と前記端末情報とに対応する表示の方法を規定する表示情報を保持するための表示情報格納処理と、
前記端末通信部から入力された前記操作情報と前記端末情報とに対応した前記表示情報の規定に基いて、前記表示部が表示する前記表示用データを変更するための変更処理とを行うことを特徴とする、情報処理システムにおける処理方法。
【請求項１４】
情報処理装置と、前記情報処理装置を操作する操作端末とからなる情報処理システムにおける処理プログラムであって、
前記操作端末は、
前記情報処理装置と通信するための通信処理と、
ユーザから前記情報処理装置の動作を指定するための操作情報を入力する処理と、
前記操作端末毎に決まる機器に特有な情報である固有情報と、操作端末の使用環境によって可変な状態情報とからなる端末情報とを保持するための端末情報格納処理と、
前記操作部から入力された前記操作情報に、前記端末情報格納部から取得した前記端末情報を付加して前記装置通信部に出力するための統合処理とを行い、
前記情報処理装置は、
前記操作端末と通信するための通信処理と、
前記ユーザに対して該情報処理装置内に保持する表示用データを表示するための表示処理と、
前記操作情報と前記端末情報とに対応する表示の方法を規定する表示情報を保持するための表示情報格納処理と、
前記端末通信部から入力された前記操作情報と前記端末情報とに対応した前記表示情報の規定に基いて、前記表示部が表示する前記表示用データを変更するための変更処理とを行うようにコンピュータを動作させるための、情報処理システムにおける処理プログラム。
【請求項１５】
情報処理装置と、操作端末とからなるシステムであって、
前記操作端末は、
前記情報処理装置と通信するための装置通信部と、
前記操作端末毎に決まる機器に特有な情報である固有情報と、操作端末の使用環境によって可変な状態情報とからなる端末情報とを保持するための端末情報格納部と、
前記端末情報格納部から取得した前記端末情報を前記装置通信部に出力するための統合部とを備え、
前記情報処理装置は、
前記操作端末と通信するための端末通信部と、
前記情報処理装置内に保持する表示用データを表示するための表示部と、
前記端末情報に対応する表示の方法を規定する表示情報を保持するための表示情報格納部と、
前記端末通信部の前記端末情報に対応した前記表示情報の規定に基いて、前記表示部が表示する前記表示用データを変更するための変更部とを備えることを特徴とする、情報処理システム。
【手続補正２】
【補正対象書類名】明細書
【補正対象項目名】００３０
【補正方法】変更
【補正の内容】
【００３０】
上記目的を達成するため、この発明のさらに他の局面に従うと、情報処理システムにおける処理プログラムは、情報処理装置と、情報処理装置を操作する操作端末とからなる情報処理システムにおける処理プログラムであって、操作端末は、情報処理装置と通信するための通信処理と、ユーザから情報処理装置の動作を指定するための操作情報を入力する処理と、操作端末毎に決まる機器に特有な情報である固有情報と、操作端末の使用環境によって可変な状態情報とからなる端末情報とを保持するための端末情報格納処理と、操作部から入力された操作情報に、端末情報格納部から取得した端末情報を付加して装置通信部に出力するための統合処理とを行い、情報処理装置は、操作端末と通信するための通信処理と、ユーザに対して該情報処理装置内に保持する表示用データを表示するための表示処理と、操作情報と端末情報とに対応する表示の方法を規定する表示情報を保持するための表示情報格納処理と、端末通信部から入力された操作情報と端末情報とに対応した表示情報の規定に基いて、表示部が表示する表示用データを変更するための変更処理とを行うようにコンピュータを動作させる。
この発明のさらに他の局面に従うと、情報処理装置と、操作端末とからなる情報処理システムにおいて、前記操作端末は、前記情報処理装置と通信するための装置通信部と、前記操作端末毎に決まる機器に特有な情報である固有情報と、操作端末の使用環境によって可変な状態情報とからなる端末情報とを保持するための端末情報格納部と、前記端末情報格納部から取得した前記端末情報を前記装置通信部に出力するための統合部とを備え、前記情報処理装置は、前記操作端末と通信するための端末通信部と、前記情報処理装置内に保持する表示用データを表示するための表示部と、前記端末情報に対応する表示の方法を規定する表示情報を保持するための表示情報格納部と、前記端末通信部の前記端末情報に対応した前記表示情報の規定に基いて、前記表示部が表示する前記表示用データを変更するための変更部とを備えることを特徴とする。